(57)【要約】【課題】入隅をなして相対する２の構造物の間隙を平らなカバー材で閉塞させることで、カバー材が存在しても２つの構造物が突き合わさる入隅本来の外観が保たれるエキスパンションジョイントを提供すること。【解決手段】入隅をなして相対する第一構造物１と第二構造物２との間隙３を、第一構造物１に設けたホルダー４に支持されるカバー材５で閉塞させるエキスパンションジョイントＡにおいて、上記カバー材は、一端を第一構造物に当接又は近接し、他端は第二構造物の一部分へ重なるように延出する平らなもので、裏側には第一構造物に近付けて係合凸条６を設けられ、上記ホルダー４は、カバー材５の係合凸条６を嵌合する係止溝部７の側方に、第一構造物１に固定した受部材８と接合する取付部９を設けることで、第一構造物１と第二構造物２との間隙３へ収まるようにしたものであること。【選択図】図１
2008133698.tif 000002
【特許請求の範囲】
【請求項１】
入隅をなして相対する第一構造物と第二構造物との間隙を、第一構造物側に設けたホルダーに支持されるカバー材で閉塞させるエキスパンションジョイントにおいて、
上記カバー材は、一端を第一構造物に当接また近接し、他端は第二構造物の一部分へ重なるように延出する平らなもので、裏側には第一構造物に近付けて係合凸条を設けられ、
上記ホルダーは、カバー材の係合凸条を嵌合する係止溝部の側方に、第一構造物に固定した受部材と接合する取付部を設けることで、第一構造物と第二構造物との間隙へ収まるようにしたものである
ことを特徴とするエキスパンションジョイント。
【請求項２】
上記カバー材の裏側に、係合凸条に近接してこの係合凸条をホルダーに設けた係止溝部へ嵌合するとき、取付部に当接する制限凸条が設けられている
ことを特徴とする請求項１に記載のエキスパンションジョイント。
【請求項３】
上記カバー材の裏側に付設した係合凸条と、第二構造物とをワイヤ等で連結してある
ことを特徴とする請求項１又は請求項２に記載のエキスパンションジョイント。
【請求項４】
上記カバー材のホルダーが、係止溝部の側方に有する取付部に受部材との接合位置を調整するための長孔を形成されている
ことを特徴とする請求項１〜請求項３の何れかに記載のエキスパンションジョイント。
【請求項５】
上記カバー材の第二構造物に重なる部分の先端裏側に設けられる変位吸収体の挟持部が、先細りのテーパー状に形成されている
ことを特徴とする請求項１〜請求項４の何れかに記載のエキスパンションジョイント。
【発明の詳細な説明】
【技術分野】
【０００１】
本発明は、入隅をなして相対する第一構造物と第二構造物との間隙を、カバー材で閉塞させるエキスパンションジョイントに関する。
【背景技術】
【０００２】
従来、入隅をなして相対する第一構造物と第二構造物との間隙を、第一構造物側に設けたホルダーに支持されるカバー材で閉塞させるエキスパンションジョイントにおいて、カバー材のホルダーを間隙より前側へ張り出す取付部で第一構造物へ取り付けることで、カバー材が間隙を覆う水平部にホルダーの取付部を覆う垂直部が連設された逆Ｌ字形をなすものとしたものは知られている。（例えば、特許文献１参照）
【特許文献１】実公昭６３−３６０８９号公報
【０００３】
しかしながら、上記構造のエキスパンションジョイントは、逆Ｌ字形をなすカバー材の垂直部が第一構造物に沿って前方へ突出するため、２つの構造物が突き合わさる入隅本来の外観が損なわれるという問題点があった。
【発明の開示】
【発明が解決しようとする課題】
【０００４】
本発明は前記問題点を解消し、入隅をなして相対する２つの構造物の間隙を平らなカバ
ー材で閉塞させることで、カバー材が存在しても２つの構造物が突き合わさる入隅本来の
外観が保たれるエキスパンションジョイントを提供することをその課題とする。
【課題を解決するための手段】
【０００５】
上記課題を解決するため、請求項１に係る発明は、入隅をなして相対する第一構造物と第二構造物との間隙を、第一構造物側に設けたホルダーに支持されるカバー材で閉塞させるエキスパンションジョイントにおいて、上記カバー材は、一端を第一構造物に当接又は近接し、他端は第二構造物の一部分へ重なるように延出する平らなもので、裏側には第一構造物に近付けて係合凸条を設けられ、上記ホルダーは、カバー材の係合凸条を嵌合する係止溝部の側方に、第一構造物に固定した受部材と接合する取付部を設けることで、第一構造物と第二構造物との間隙へ収まるようにしたものであることを特徴とする。
【０００６】
請求項２に係る発明は、上記カバー材の裏側に、係合凸条に近接してこの係合凸条をホルダーに設けた係止溝部へ嵌合するとき、取付部に当接する制限凸条が設けられていることを特徴とする。
【０００７】
請求項３に係る発明は、上記カバー材の裏側に付設した係合凸条と、第二構造物とをワイヤ等で連結してあることを特徴とする。
【０００８】
請求項４に係る発明は、上記カバー材のホルダーが係止溝部の側方に有する取付部へ、受部材との接合位置を調整するための長孔を形成されていることを特徴とする。
【０００９】
請求項５に係る発明は、上記カバー材の第二構造物に重なる部分の先端裏側に設けられる変位吸収体の挟持部が、先細りのテーパー状に形成されていることを特徴とする。
【発明の効果】
【００１０】
請求項１に係る発明によれば、平らなカバー材の裏側に設けた係合凸条を第一構造物側に設けたホルダーの係止溝部に係合させると、カバー材が一端を第一構造物に当接又は近接し、他端を第二構造物の一部分に重ならせて間隙を閉塞するので、第一構造物に第二構造物が突き合わされる入隅本来の外観を呈して、しかも、平らなカバー材は従来の逆Ｌ字形をなすカバー材に比べて、簡単な型で製作することができて、使用する材料も少ないため安価でエキスパンションジョイントの設置費の低減に寄与する。
【００１１】
請求項２に係る発明によれば、カバー材の裏側に設けた係合凸条を、ホルダーに設けた係止溝部へ嵌合するとき、カバー材の裏側に設けた制限凸条がホルダーの取付部へ当接して、係合凸条の嵌合度を制限するため、過度の嵌合で故障や損傷を生ずることがない。
【００１２】
請求項３に係る発明によれば、係合凸条をワイヤ等で第二構造物へ連結されるカバー材は、取り付けの際、カバー材が例え手から離れても第二構造物に保持されて落下しないため、取り付けを安全、容易に行えて、しかも、カバー材の取り付け後、係合凸条が係止溝部から外れることがあっても、カバー材の落下が防止される。
【００１３】
請求項４に係る発明によれば、ホルダーの取付部に設けた長孔は、受部材と接合するねじを長さの範囲内において移動させ、カバー材の位置を調整することで、カバー材の一端を第一構造物の表面へ密着するように設置する操作を簡単確実に行える。
【００１４】
請求項５に係る発明によれば、地震等の揺れで変位吸収体が第二構造物の凹部に入り込んでも、凹部が動いて挟持部のテーパー面を押すと、変位吸収体が凹部より抜け出して第二構造物の表面に当接する状態に戻り易い。
【発明を実施するための最良の形態】
【００１５】
以下に本発明に係るエキスパンションジョイントの実施形態を図面に付いて説明する。
【００１６】
図１において符号Ａは、エキスパンションジョイントを示す。このエキスパンションジョイントＡは、入隅をなして相対する第一構造物１と第二構造物２との間隙３を、第一構造物１側に設けたホルダー４に支持されるカバー材５で閉塞させるものであって、上記カバー材５は、一端を第一構造物１に当接し、他端は第二構造物２の一部分へ重なるように延出する平らなものであり、裏側には第一構造物１に近付けて係合凸条６を設けられ、カバー材５のホルダー４は、カバー材５の係合凸条６を嵌合する係止溝部７の側方に、第一構造物１に固定した受部材８と接合する取付部９を設けることで、第一構造物１と第二構造物２との間隙３へ収まるようにしたものである。
【００１７】
入隅をなして相対する第一構造物１と第二構造物２は、図１においては第一構造物１が壁であり、第２構造物２が天井である例を示す。しかし、両構造物１と２は床と壁、壁と壁であったり、あるいは、隣接して建設された別の建物であったりする場合も含まれる。
【００１８】
第一構造物１と第二構造物２の間隙３を閉塞させるカバー材５は、一端が第一構造物１へ当接し、他端が第二構造物２の一部分へ重なるように延出する平らなものであって、裏側の第一構造物１に近い部分には、鋸歯形の逆止爪１０を有する係合凸条６を有し、両先端部には第一構造物１に接する変位吸収体１１の挟持部１２と、第二構造物２に接する変位吸収体１３の挟持部１４とを有し、更に、一方の挟持部１２にはホルダー４の取付部９に対応させて、係合凸条６の係止溝部７への嵌合度を制限させる制限凸条１５を有するようにアルミニウムを押し出し成形することで形成される。
【００１９】
第一構造物１側に設けるカバー材５のホルダー４は、逆Ｕ字形をなして一方の内壁に上記逆止爪１０を係合させる複数の鋸歯形の係止凹凸条１６を有する係止溝部７の一側に、第一構造物１へ向かって張り出す取付部９が連設されるようにアルミニウムの押し出し成形で形成される。そして、このホルダー４の取付部９には、後加工で幅方向の長孔１７を安定した取付が行なわれる間隔で必要数あけてある。
【００２０】
第一構造物１に取り付けてホルダー４の取付部９を支持させる受部材８は、Ｌ形断面にアルミニウムの押し出し成形で形成することが好ましいが、Ｌ形鋼材を使用しても良く、その縦片８ａはねじ１８で第一構造物１へ固定する。また、横片８ｂの下側にはホルダー４の取付部９を添え、この取付部９にあけた長孔１７にねじ１９を通して、横片８ｂへ締め込むことで取付部９が横片８ｂへ接合されるようにする。
【００２１】
カバー材５の裏側に設けた係合凸条６と第二構造物２側に設けられる野縁等の部材２０とを連結するワイヤ２１等は、一端を部材２０にあけた孔２２へ結び止め、他端をカバー材５の裏側に設けた係合凸条６にあけた孔２３へ結び止めて、カバー材５が部材２０へ連結されて脱落しないようにすることで、カバー材５の装着が容易にできて、取付後にカバー材５が外れ落ちることも防止されるようにする。
【００２２】
上記構成のエキスパンションジョイントＡは、入隅をなして相対する第一構造物１と第二構造物２との間隙３において第一構造物１へ受部材８の縦片８ａをねじ１８で取り付け
、横片８ｂこの下側にホルダー４に設けた取付部９を添えてねじ１９で結合すると、ホルダー４は間隙３へ収まるように設置される。そこで、このホルダー４に設けた係止溝７へカバー材５の裏側に設けた係合凸条６を嵌合すると、係合凸条６に設けた逆止爪１０が係止溝部７に設けた係止凹凸条１６へ係合して外れを防止され、このときカバー材５の裏側に設けた制限凸条１５が取付部９ヘ当ってカバー材５を制止するもので、この状態においてカバー材５は一端に装着される変位吸収体１１を第一構造物１に当接し、他端は第二構造物２へ重ならせて先端に装着した変位吸収体１３を第二構造物２へ当接させる。従って、第一構造物１と第二構造物２とでなす入隅は、第一構造物１に第二構造物２が突き当る本来の外観を呈して、しかも、カバー材５は地震や地盤沈下等が起こって間隙３を変動させることがあっても、この変動を吸収しつつ間隙３を閉塞する動作を持続する。
【００２３】
図３、図４は、上記実施形態の一部分の変形例を示すもので、変形部分はカバー材５の一端に挟持部１２で取り付ける変位吸収体１１の取付態様と、第二構造物２に重なる他端に変位吸収体１３を取り付ける挟持部１４の形状とにある。従って、これらの変形部分に付いて以下に説明し、前記実施形態と同一の部分に付いては、同一の符号を付して説明は省略する。
【００２４】
変位吸収体１１の取付態様は、図３に示す通り第一構造物１に近接するカバー材５の一端の裏側に、ホルダー４の取付部９に対応させて挟持部１２を設け、この挟持部１２に変位吸収体１１を挟持させることで、図１に示す実施形態では第一構造物１に当接させた変位吸収体１１を、第一構造物１に取り付けた受部材８の横片８ｂへ当接させるようにしてある。
【００２５】
変位吸収体１３を挟持する挟持部１４の変形態様は、図１に示す実施形態では基部から先端まで平行であった挟持部１４を、図３、図４に示す通り基部より先端側が細くなる先細りのテーパー状に形成して、両側に横方向の力が作用すると、前後方向の動きを起こさせるテーパー面１４ａを形成してある。
【００２６】
上記の通り一部を変形させたエキスパンションジョイントＡは、カバー材５の一端の裏側に変位吸収体１１を設けてあるため、係合凸条６を係止溝部７に嵌合するとき、この変位吸収体１１が受部材８の横片８ｂへ当接して、係合凸条６の係止溝部７への嵌合度を制限するので、図１の実施形態で設けた嵌合度の制限凸条１５と同様な効果が得られ、カバー材５と第一構造物１との間には、受部材８の横片８ｂで塞がれる小隙間２４を生ずることになる。また、カバー材５の他端の裏側に設けて変位吸収体１３を挟持させる挟持部１４は、先細りのテーパー状に形成されるから、地震等の揺れで変位吸収体１３が第二構造物２の凹部２５に入り込んでも、凹部２５の動きでテーパー面１４ａに押す力が加わると、テーパー面１４ａがこの力を前後移動の力に変換して、変位吸収体１３を凹部２５より外れさせて第二構造体２の表面へ当接する状態に戻らせる。
【産業上の利用可能性】
【００２７】
本発明は、入隅をなして相対する第一構造物と第二構造物との間隙を閉塞するカバー材が入隅の外観を損なわないようにするのに有効である。
【図面の簡単な説明】
【００２８】
【図１】本発明に係るエキスパンションジョイントの実施形態を示す断面図。
【図２】同上の一部分を拡大した断面図。
【図３】本発明に係るエキスパンションジョイントの他の変形態様を示す断面図。
【図４】（ａ）（ｂ）は、同上のカバー材に設けた変位吸収体の一方が第二構造体の凹部へ入り込んだ状態と、外れ出た状態を示す説明図。
【符号の説明】
【００２９】
Ａ  エキスパンションジョイント
１  第一構造物
２  第二構造物
３  間隙
４  ホルダー
５  カバー材
６  係合凸条
７  係止溝部
８  受部材
【図１】
2008133698.tif 000003
【図２】
2008133698.tif 000004
【図３】
2008133698.tif 000005
【図４】
2008133698.tif 000006